(57)【要約】【課題】本発明の課題は、使い捨ておむつへの尿取りパッドの装着容易性の向上を図った吸収性物品を提供することにある。【解決手段】別体の尿取りパッド１００を内側に入れて使用し得る吸収性物品１０であって、表面シート１と裏面シート２と両シートに挟まれた吸収体３を備え、前記吸収体３は、肌当接面側に開口部３３を有して、該開口部の内部と外部との間に亘り段差部３４を有し、前記開口部３３の長手方向前後端部の少なくとも一方に、前記段差部３４が平面視において二つ以上の頂点Ｔを有し、前記二つ以上の頂点Ｔのうち一つが幅方向中央と一致している吸収性物品を提供する。【選択図】図１
2015066307.tif 000002
【特許請求の範囲】
【請求項１】
別体のパッドを内側に入れて使用し得る吸収性物品であって、
表面シートと裏面シートと両シートに挟まれた吸収体を備え、
前記吸収体は、肌当接面側に開口部を有して、該開口部の内部と外部との間に亘り段差部を有し、
前記開口部の長手方向前後端部の少なくとも一方に、前記段差部が平面視において二つ以上の頂点を有し、
前記二つ以上の頂点のうち一つが幅方向中央と一致している吸収性物品。
【請求項２】
前記開口部が、前記肌当接面側に配された吸収体の厚み方向に渡って貫通している請求項１に記載の吸収性物品。
【請求項３】
前記開口部が幅方向中央線に対して線対称であり、前記開口部の前後端部に存在する頂点とは別に、一対の頂点を有する請求項１または２に記載の吸収性物品。
【請求項４】
前記前後端部のうち、両方に二つ以上の頂点を有する請求項１から３のいずれか１項に記載の吸収性物品。
【請求項５】
前記幅方向中央と一致している２つの頂点はそれぞれ円弧の一部であり、かつ、前記開口部の長手方向内側に凸形状であり、一方の頂点を含む円弧の曲率が他の頂点を含む円弧の曲率よりも高い請求項４に記載の吸収性物品。
【請求項６】
前記吸収体の非肌当接面側に色付き中間シートが配されている請求項１から５のいずれか１項に記載の吸収性物品。
【請求項７】
前記色付き中間シートのさらに非肌当接面側に、前記吸収体とは別の吸収体を有する請求項６に記載の吸収性物品。
【請求項８】
前記幅方向中央と一致している２つの頂点は、前記肌当接面側に配された吸収体と前記非肌当接面側に配された吸収体が重なっている請求項７に記載の吸収性物品。
【発明の詳細な説明】
【技術分野】
【０００１】
本発明は使い捨ておむつ等の吸収性物品に関する。
【背景技術】
【０００２】
使い捨ておむつは、尿取りパッドを併用する場合があり、使い捨ておむつに装着する尿取りパッドを装着者の股下部に対応した適切な位置に配することが重要になる。
特許文献１には、透液性表面シートと不透液性裏面シートとの間に吸収体を配設した幅方向対称の吸収性物品本体を備え、前記吸収体は、少なくとも前記吸収性物品本体の股下回り部に位置する部分を第１吸収体部と第２吸収体部とに幅方向に分割してこの第１吸収体部と第２吸収体部との間に吸収体不存在部を形成し、前記吸収体不存在部は、前記吸収体の長手方向の両端縁より内側でかつ幅方向略中央部に位置するものが記載されている。
【０００３】
特許文献２には、表面シートと裏面シートとの間に配設された吸収体が、少なくとも脚回り部にて長手方向に沿って幅方向中央部に設けられた孔部と、この孔部の幅方向両側に位置する一対の脚回り吸収体部とで形成されている吸収性物品が記載されている。上記孔部に位置する表面シートと裏面シートとの少なくとも一部は接合されて、表面シートから裏面シート側へと凹状の凹み部が形成され、一対の脚回り吸収体部と裏面シートとの間に、長手方向に沿って第２弾性体が配設されている。
【０００４】
特許文献３には、上下２層の吸収ウエブ体が重ね合わせられることにより形成され、下層吸収ウエブ体は、上層吸収ウエブ体と同幅または狭幅に形成され、上層吸収ウエブ体には、下層吸収ウエブ体の配設位置に、下層吸収ウエブ体よりも小面積の開口部が少なくとも１つ配設されると共に、該開口部の周囲は、その他の部位に比べて高吸水性樹脂粉末の分散密度が高く設定されている使い捨て吸収性物品が記載されている。
【先行技術文献】
【特許文献】
【０００５】
【特許文献１】特開２００１−２９３０３４号公報
【特許文献２】特開２００７−１８５２４０号公報
【特許文献３】特開２００３−０７０８４２号公報
【発明の開示】
【発明が解決しようとする課題】
【０００６】
上記特許文献１に記載された使い捨て吸収性物品は、吸収体不存在部に位置して吸収パッドを装着することにより、吸収パッドが位置ずれすることがないとされている。また特許文献２に記載された使い捨て吸収性物品では、インナパッドを凹み部に載置することにより、インナパッドを適切な位置に配置できるとされている。しかし、いずれも、吸収体不存在部や凹み部に適合した大きさの吸収パッドやインナパッドの位置合わせはできても、夜用と昼用のように大きさが異なるパッドの場合には、どちらか一方の吸収パッドやインナパッドの位置合わせができても、他方の吸収パッドやインナパッドの位置合わせが容易ではなかった。
さらに特許文献３に記載された使い捨ておむつでは、股下部分では幅が狭く、脚周りの吸収体を持つ構成でもなく、吸収体側部にギャザーを設置しても下層吸収体の剛性によってサイド部の立ち上がりが低下し、尿取りパッドのホールド性を阻害する結果となっていた。
【０００７】
本発明は、上記のような点に鑑みなされたもので、使い捨ておむつへの尿取りパッドの装着容易性の向上を図った吸収性物品を提供することを課題とする。
【課題を解決するための手段】
【０００８】
本発明は、別体のパッドを内側に入れて使用し得る吸収性物品であって、表面シートと裏面シートと両シートに挟まれた吸収体を備え、前記吸収体は、肌当接面側に開口部を有して、該開口部の内部と外部との間に亘り段差部を有し、前記開口部の長手方向前後端部の少なくとも一方に、前記段差部が平面視において二つ以上の頂点を有し、前記二つ以上の頂点のうち一つが幅方向中央と一致している吸収性物品を提供するものである。
【発明の効果】
【０００９】
本発明の吸収性物品は、尿取りパッドを併用する場合の位置合わせが、平面視において開口部内側もしくは外側に突出部分もしくは凹んだ部分に存する頂点を二つ以上有することから、その頂点で尿取りパッドの物品長手方向の位置合わせが容易になり、前記二つ以上の頂点のうち一つが幅方向中央と一致していることから、中央部に配された頂点で尿取りパッドの物品幅方向の位置合わせが容易になるという優れた効果を奏する。
【図面の簡単な説明】
【００１０】
【図１】本発明の吸収性物品における好ましい一実施形態としての展開型使い捨ておむつを示した図面であり、（ａ）は展開型使い捨ておむつを展開した状態の肌面側（表面シート側）から模式的に示した部分切欠き展開平面図であり、（ｂ）は股下部のＸ方向の縦断面図である。
【図２】本発明の吸収性物品における好ましい別の一実施形態としての展開型使い捨ておむつを示した図面であり、（ａ）は展開型使い捨ておむつを展開した状態の肌面側（表面シート側）から模式的に示した部分切欠き展開平面図であり、（ｂ）は股下部のＸ方向の縦断面図である。
【図３】開口部の形状と頂点の一例を示した図面であり、（ａ）は開口部の長手方向（Ｙ方向）両端部の吸収体が長手方向内側に張り出した形状の一例であり、（ｂ）は（ａ）よりも張り出しが大きくなった一例であり、（ｃ）は開口部の両端部の吸収体が長手方向外方に凹んだ形状の一例であり、（ｄ）は開口部の両端部の吸収体が２段階に張り出した形状の一例であり、（ｅ）は開口部の幅方向（Ｘ方向）両側部の吸収体が幅方向内方に張り出した形状の一例であり、（ｆ）は開口部の両側部の吸収体が幅方向外側に凹んだ形状の一例である。
【図４】第１吸収体および第２吸収体３２の外形例を模式的に示した平面図であり、（ａ）は矩形状の第１吸収体といわゆる砂時計形状の第２吸収体の一例であり、（ｂ）はいわゆる砂時計形状の一例であり、（ｃ）は（ｂ）図に示した形状にて角部を切り欠いた形状の一例であり、（ｄ）は矩形の第１吸収体および第２吸収体３２を示した一例である。
【図５】本発明の吸収性物品における他の好ましい一実施形態としての大人用の展開型使い捨ておむつを示した図面であり、（ａ）は展開型使い捨ておむつを展開した状態の肌面側（表面シート側）から模式的に示した展開平面図であり、（ｂ）は股下部のＸ方向の縦断面図である。
【図６】（ａ）は使い捨ておむつの内部に吸収性パッドの一例としての尿取りパッドを内部に入れた状態の、股下部のＸ方向の断面図、および（ｂ）は吸収性パッドの一例としての尿取りパッドを示した平面図である。
【図７】本発明の使い捨ておむつの装着例を模式的に示した斜視図であり、（ａ）は装着者に対して使い捨ておむつの位置決めを示した斜視図であり、（ｂ）は使い捨ておむつに対して尿取りパッドの位置決めを示した斜視図およびＡ部拡大平面図であり、（ｃ）は装着者への尿取りパッドの装着を示した斜視図であり、（ｄ）は装着者への使い捨ておむつの装着を示した斜視図であり、（ｅ）は装着者への使い捨ておむつの装着、固定を示した斜視図である。
【発明を実施するための最良の形態】
【００１１】
本発明に係る吸収性物品としてのおむつの好ましい実施形態について、図面を参照して説明する。
図１に示すように、本実施形態の使い捨ておむつ１０は、肌当接面側に配された液透過性の表面シート１、非肌当接面側に配された透湿性かつ液不透過性の裏面シート２、および両シートの間に挟まれていて液を吸収保持する吸収体３を備える。以下、「使い捨ておむつ」は「おむつ」ということもある。
表面シート１および裏面シート２は縦長の形状を有する。吸収体３は、これらよりも物品長手方向（Ｙ方向）および物品幅方向（Ｘ方向）の長さがやや短く、股下部において物品幅方向中央に位置する、肌当接面側に開口する開口部３３が配されている。吸収体３は、その長手方向を表面シート１および裏面シート２の長手方向に一致させ略中央に配されている。吸収体３は、中間シート５（５ａ、５ｂ）によって挟持されている。これら表面シート１、裏面シート２、および中間シート５を含む吸収体３は、例えばホットメルト接着剤等によって接合されている。
【００１２】
吸収体３は、上記開口部３３の周囲に段差部３４を有している。すなわち、開口部３３内部は、側部吸収体３（３ａ）、３（３ｂ）、前端部吸収体３（３ｃ）および後端部吸収体３（３ｄ）の厚さよりも薄い低厚み部３５となっている。この厚みの差によって、開口部３３の周囲が高くなる段差部３４が作られている。吸収体３は、例えば長方形であってもよく、または外側縁の形状が股下部分で内側に湾曲もしくは屈曲しており、腹側部Ｆや背側部Ｒの部位では外側に広がっていてもよく、いずれの場合もその中央部に上記開口部３３を有する。
上記低厚み部３５は、積繊によって製造する場合、吸収体の偏在化（例えば、低厚み部に対応する部分の目付の低減化）、または吸収体偏在化とエンボス加工によって作ることができる。
また、図示はしないが、上記低厚み部３５を有さず、開口部３３が貫通していてもよい。この場合の開口部３３に沿った吸収体３の厚み部分が上記段差部３４になる。
【００１３】
段差部３４によって、長手方向前後端部の少なくとも一方、例えば前端部側には、平面視において二つ以上の頂点Ｔ（Ｔ１、Ｔ２）を有し、これらの二つ以上の頂点Ｔのうち一つが物品幅方向中央と一致している。図示例では、前端部側には、平面視において三つの頂点Ｔ（Ｔ１，Ｔ２，Ｔ２）を有し、頂点Ｔ１が物品幅方向中央を示す中央線ＣＬと一致している。同様に、図事例では、後端部側には、平面視において三つの頂点Ｔ（Ｔ１，Ｔ２，Ｔ２）を有し、これらの三つの頂点Ｔのうち一つの頂点Ｔ１が上記中央線ＣＬと一致している。
【００１４】
本明細書では、開口部３３の長手方向（Ｙ方向）内側に張り出す吸収層３の先端部分および開口部３３の長手方向外側に凹む吸収層３の先端部分を頂点Ｔという。先端部分とは開口部３３の長手方向内側に張り出した吸収層３の場合に開口部３３中央に最も近い点をいい、先端部分とは開口部３３の長手方向外側に凹んだ吸収層３の場合に開口部３３中央より最も遠い点をいう。
【００１５】
本発明に係る吸収性物品としての使い捨ておむつ１０は吸収体３が２層構造であってもよい。その好ましい一例を、図２を参照して以下に説明する。
【００１６】
図２に示すように、吸収体３は、その厚み方向に貫通している開口部３３を有し、肌当接面側に配される第１吸収体３１と、それより裏面シート２側に配される第２吸収体３２によって構成されている。第１吸収体３１は、中間シート５を介して第２吸収体３２より上層に配される。
【００１７】
第１吸収体３１は、例えば外形が長方形であってもよく、または外側縁の形状が股下部Ｃで内側に湾曲もしくは屈曲に曲がっており、腹側部Ｆや背側部Ｒの部位では外側に広がっていてもよく、いずれの場合もその中央部に上記開口部３３を有する。この開口部３３の幅方向側部の第１吸収体３１が側部吸収体３ａ、３ｂとなる。
【００１８】
第２吸収体３２は、長手方向両端部側が上記開口部３３の幅より広く、長手方向中央部が上記開口部３３の幅より狭くなっている。例えば、第２吸収体３２は、股下部Ｃで内側に湾曲もしくは屈曲した形状であってもよい。これにより、第１吸収体３１と第２吸収体３２との間に平面視した隙間ができ、その隙間が離間部４（４ａ、４ｂ）となる。したがって、離間部４の長さは、開口部３３の長手方向の長さ以下となる。また、開口部３３の長手方向両端部では、第１吸収体３１と第２吸収体３２とが重なっている。
上記開口部３３の周囲は、第１吸収体３１の厚さ分によって段差部３４となっている。
【００１９】
段差部３４によって、長手方向前後端部の少なくとも一方、例えば前端部側には、平面視において二つ以上の頂点Ｔ（Ｔ１、Ｔ２）を有し、これらの二つ以上の頂点Ｔのうち一つが物品幅方向中央と一致している。図示例では、前端部側には、平面視において三つの頂点Ｔ（Ｔ１，Ｔ２，Ｔ２）を有し、頂点Ｔ１が物品幅方向中央と一致している。同様に、図事例では、後端部側には、平面視において三つの頂点Ｔ（Ｔ１，Ｔ２，Ｔ２）を有し、これらの三つの頂点Ｔのうち一つの頂点Ｔ１が物品幅方向中央に位置する中央線ＣＬと一致している。
【００２０】
上記開口部３３および頂点Ｔについて、その一例を、図３を参照して説明する。なお、図３の各図面は、図面上側が物品の後側を表し、図面下側が物品の前側を表す。
図３（ａ）に示すように、吸収体３に配される開口部３３は、平面視、略長方形で、その長手方向（Ｙ方向）前端および後端の吸収体３が開口部３３の長手方向内側に張り出した凸形状を成し、前端両側部および後端両側部の吸収体３が長手方向外方に凹んだ凹形状を成している。このような凸形状の場合、頂点は、開口部３３の中心３３Ｃからみてその中心方向に最も張り出した位置を頂点Ｔ（Ｔ１）とする。一方、凹形状の場合、開口部３３の中心３３Ｃからみてその中心から最も凹んだ位置を頂点Ｔ（Ｔ２）とする。したがって、頂点は、前後端部にそれぞれ、物品幅方向中央に頂点Ｔ１が一つずつ、その両側に頂点Ｔ２が二つずつ配されている。言い換えれば、頂点Ｔ１は開口部３３の長手方向の中心線ＣＬ上にある。また、頂点Ｔ１、Ｔ２は物品幅方向に二つ以上ある。なお、各凸形状および凹形状は曲面で構成されることが好ましい。
【００２１】
上記使い捨ておむつ１０（前記図１、２参照）の後側になる凸形状３Ｔｂ（図３（ａ）参照）および凹形状３Ｄｂ（図３（ｃ）参照）の物品長手方向のそれぞれの長さＬｔｂ、Ｌｄｂは、使い捨ておむつ１０の長さ方向の中心の目印として、もしくは長さの異なる尿取りパッドの位置合わせを行うという観点から１０ｍｍ以上、好ましくは２０ｍｍ以上、さらに好ましくは２５ｍｍ以上であり、大きさの異なる尿取りパッドの長さと使い捨ておむつ１０の背中側の位置合わせという観点から、１２０ｍｍ以下、好ましくは１１０ｍｍ以下、さらに好ましくは１００ｍｍ以下である。そして１０ｍｍ以上１２０ｍｍ以下、好ましくは２０ｍｍ以上１１０ｍｍ以下、さらに好ましくは２５ｍｍ以上１００ｍｍ以下である。
上記使い捨ておむつ１０の前側になる凸形状３Ｔｆ（図３（ａ）参照）および凹形状３Ｄｆ（図３（ｃ）参照）の物品長手方向のそれぞれの長さＬｔｆ、Ｌｄｆも、上記長さＬｔｂ、Ｌｄｂと同様に規定される。
また、使い捨ておむつ１０の後側になる上記凸形状３Ｔｂの平面視した軌跡半径Ｒｂ（曲率半径）は、凸形状が分かりやすい大きさが必要であるという観点から、１０ｍｍ以上、好ましくは２０ｍｍ以上、さらに好ましくは２５ｍｍ以上であり、凸形状の先を尖らせる幅方向の中心を明確にするという観点から、好ましくは６０ｍｍ以下、さらに好ましくは５５ｍｍ以下である。そして１０ｍｍ以上６０ｍｍ以下、好ましくは２０ｍｍ以上６０ｍｍ以下、さらに好ましくは２５ｍｍ以上５５ｍｍ以下である。
【００２２】
上記使い捨ておむつ１０の前側になる凹形状３Ｔｆは、装着者の前側鼠蹊部によりフィットさせるという観点から股下部に開口部３３の物品幅方向の幅よりも外側に広がっていることが好ましい。
使い捨ておむつ１０の前側になる上記凸形状３Ｔｆの平面視した軌跡半径Ｒｆ（曲率半径）は、装着者のお腹周りのフィット性という観点から、５０ｍｍ以上、好ましくは６０ｍｍ以上、さらに好ましくは６５ｍｍ以上であり、装着者の前側鼠蹊部によりフィット性とテープ粘着部２０の剛性を保つという観点から、好ましくは１５０ｍｍ以下、さらに好ましくは１４０ｍｍ以下である。そして５０ｍｍ以上１５０ｍｍ以下、好ましくは６０ｍｍ以上１４０ｍｍ以下、さらに好ましくは６５ｍｍ以上１４０ｍｍ以下である。
そして、前側の凸形状３Ｔｆの軌跡半径Ｒｆは、後側の凸形状３Ｔｂの軌跡半径Ｒｂより、大きいことが好ましい。
【００２３】
図３（ｂ）に示すように、図３（ａ）で示した形状において、さらに張り出し形状が長い凸形状、凹みが深いが凹形状の場合も同様に、開口部３３について頂点Ｔ（Ｔ１、Ｔ２）が規定される。そして頂点Ｔ１は開口部３３の長手方向の中心線ＣＬ上にある。また、頂点Ｔは物品幅方向に二つ以上ある。なお、各凸形状は先端部が曲率の小さい曲面もしくは屈曲面であってもよい。
【００２４】
図３（ｃ）に示すように、開口部３３において、長方形状より両端の吸収体３が物品長手方向に凹んだ第１凹形状と、その第１凹形状内にさらに深く凹んだ第２凹形状が存在する場合には、第１凹形状において開口部３３の中心３３Ｃからみてその中心から最も凹んだ位置を頂点Ｔ（Ｔ２ａ、Ｔ２ｂ）とし、第２凹形状において開口部３３の中心３３Ｃからみてその中心側から最も凹んだ位置を頂点Ｔ（Ｔ２ｃ）とする。したがって、頂点Ｔ２ｃは開口部３３の長手方向の中心線ＣＬ上にある。また、頂点Ｔは物品幅方向に二つ以上ある。
【００２５】
図３（ｄ）に示すように、図３（ａ）で示した形状において、開口部３３の両端の吸収体３が、開口部３３の中央方向に張り出した第１凸形状と、その第１凸形状からさらに吸収体３が張り出した第２凸形状が存在する場合には、第１凸形状において開口部３３の中心３３Ｃからみてその中心方向に最も張り出した位置を頂点Ｔ（Ｔ１ａ、Ｔ１ｂ）とし、第２凸形状において開口部３３の中心３３Ｃからみてその中心方向に最も張り出した位置を頂点Ｔ（Ｔ１ｃ）とする。
【００２６】
図３（ｅ）に示すように、図３（ａ）で示した形状において、物品幅方向の開口部３３の両側部の吸収体３が開口部３３側に張り出した形状の場合、最も開口部３３側に張り出した部分を一対の頂点Ｔ（Ｔ３ａ、Ｔ３ｂ）とする。前記図３（１）に示したように、開口部３３の側部の形状は、物品長手方向と平行な直線でも構わないが、装着中の違和感を防止するという観点から、本例のように、長手方向の開口部３３の内側に凸状に湾曲した形状であることが好ましく、さらに開口部３３の両側部の形状は、長手方向の開口部３３の中心線側に互いに凸状に湾曲した形状であることが好ましい。
【００２７】
図３（ｆ）に示すように、図３（ａ）で示した形状において、物品幅方向の開口部３３の両側部の吸収体３が開口部３３から幅方向（Ｘ方向）外方へ凹んだ形状の場合、最も開口部３３から凹んだ部分を一対の頂点Ｔ（Ｔ４ａ、Ｔ４ｂ）とする。この場合、凹んだ部分が台形であるため、それぞれの台形の角部の２箇所が頂点Ｔ４ａ、Ｔ４ｂとなる。
【００２８】
また、上記図３（ａ）によって説明した開口部３３および頂点Ｔのうち、物品幅方向中央と一致している２つの頂点Ｔ１（Ｔ１ａ）、Ｔ１（Ｔ１ｂ）はそれぞれ円弧の一部であり、かつ、吸収体３は開口部３３の長手方向内側に凸形状であり、一方の頂点Ｔ１ａを含む円弧の曲率が他の頂点Ｔ１ｂを含む円弧の曲率よりも高くなっていることが好ましい。このことは、他の図３（ｂ）から（ｆ）に示した構成についても同様である。
【００２９】
上記第１吸収体３１、第２吸収体３２は種々の形状をとることができる。
例えば、図４（ａ）に示すように、第１吸収体３１は長方形を有し、前記図３（ａ）で説明したのと同様形状の開口部３３を有する。また第２吸収体３２は長手方向中央部でくびれた、いわゆる砂時計形の形状を有し、長手方向の開口部３３の両端部側で第１吸収体３１と第２吸収体３２とが重なっており、長手方向中央部で平面視した開口部３３の幅より第２吸収体３２の幅が狭くなっている。
【００３０】
図４（ｂ）に示すように、第１吸収体３１は中央部がくびれた、いわゆる砂時計形の形状を有し、矩形の開口部３３を有する。また第２吸収体３２は長手方向中央部でくびれた、いわゆる砂時計形の形状を有する。
そして開口部３３の長手方向の両端部側で第１吸収体３１と第２吸収体３２とが重なっており、長手方向中央部において平面視した開口部３３の幅より第２吸収体３２の幅が狭くなっている。
言い換えれば、股下部のフィット性という観点から、第１吸収体３１の股下部における外側側部の形状は開口部３３側に湾曲した凹形状を有することが好ましい。
図４（ｃ）に示すように、前記図４（ｂ）に示した構成において第１吸収体３１の形状が角部を切り欠いた形状であってもよい。その他の第２吸収体３２、開口部３３の形状は前記図４（ｂ）に示した構成と同様である。
【００３１】
図４（ｄ）に示すように、前記図４（ａ）に示した構成において第１吸収体３１および第２吸収体３２が矩形状であってもよい。この場合、開口部３３の幅よりも第２吸収体３２の幅が長手方向全体にわたって狭くなる。
【００３２】
また図４（ａ）から（ｄ）において、物品長手方向の開口部３３の両端部側で第１吸収体３１と第２吸収体３２とが重なっている。より具体的には、物品長手方向の前後端部における吸収体３が開口部３３の内側に張り出した凸形状３Ｔｆ、３Ｔｂは、第１吸収体３１と第２吸収体３２とが重なっている。そして第２吸収体３２は開口部３３の前後端に配された頂点Ｔ間よりも物品長手方向に長く配されている。
さらに、股下部に対応する位置において平面視した開口部３３の幅より第２吸収体３２の幅が狭くなっている。
【００３３】
次に、上記第１吸収体３１について前記図１および図２を参照して詳述する。
【００３４】
前記図１、図２および図３に示すように、図１を参照する吸収体３、図２を参照する第１吸収体３１の物品幅方向（Ｘ方向）の最大幅Ｗａｂは、股下からの漏れを防止し、大腿部でのフィット性を維持する観点から、２４０ｍｍ以上、好ましくは２６０ｍｍ以上、さらに好ましくは２８０ｍｍ以上であり、大人用展開型紙おむつのヒップサイズの大きさの観点から、好ましくは４００ｍｍ以下、さらに好ましくは３８０ｍｍ以下である。そして２４０ｍｍ以上４００ｍｍ以下、好ましくは２６０ｍｍ以上４００ｍｍ以下、さらに好ましくは２８０ｍｍ以上３８０ｍｍ以下である。
物品長手方向（Ｙ方向）の長さＬａｂは、対象となる被介護者の股下の長さと漏れ防止の観点から、６００ｍ以上、好ましくは６５０ｍｍ以上、さらに好ましくは６７０ｍ以上であり、対象となる被介護者の股上長さとフィット性の観点から、好ましくは８００ｍｍ以下、さらに好ましくは８６０ｍｍ以下である。そして６００ｍ以上９００ｍｍ以下、好ましくは６５０ｍｍ以上９００ｍｍ以下、さらに好ましくは６７０ｍｍ以上８６０ｍｍ以下である。
【００３５】
開口部３３のＸ方向の幅Ｗｈは、股下部のフィット性を良くする観点から、８０ｍｍ以上、好ましくは１００ｍｍ以上、さらに好ましくは１２０ｍｍ以上であり、股下からの漏れを防止する観点から、２４０ｍｍ以下、好ましくは２２０ｍｍ以下である。そして８０ｍｍ以上２４０ｍｍ以下、好ましくは１００ｍｍ以上２２０ｍｍ以下、さらに好ましくは１２０ｍｍ以上２２０ｍｍ以下である。
開口部３３のＹ方向の長さＬｈは、股下部のフィット性や可撓性を向上する観点から、２００ｍｍ以上、好ましくは２４０ｍｍ以上、さらに好ましくは２８０ｍｍ以上であり、臀部からの漏れを防止する観点から、６００ｍｍ以下、好ましくは５８０ｍ以下、さらに好ましくは５６０ｍｍ以下である。そして２００ｍｍ以上６００ｍｍ以下、好ましくは２４０ｍｍ以上５８０ｍ以下、さらに好ましくは２８０ｍｍ以上５６０ｍｍ以下である。
【００３６】
上記吸収体３（前記図１参照）、第１吸収体３１（前記図２参照）は、パルプからなる。または第１吸収体３１はパルプと吸水ポリマーからなることが好ましい。パルプの坪量は、吸収体のヨレを防止する観点から、１００ｇ／ｍ２以上、好ましくは１２０ｇ／ｍ２以上であり、大腿部付け根周りのフィット性を良くする観点から、４００ｇ／ｍ２以下、好ましくは３６０ｇ／ｍ２以下、さらに好ましくは３４０ｇ／ｍ２以下である。そして１００ｇ／ｍ２以上４００ｇ／ｍ２以下、好ましくは１２０ｇ／ｍ２以上３６０ｇ／ｍ２以下、さらに好ましくは１２０ｇ／ｍ２以上３４０ｇ／ｍ２以下である。パルプの坪量が少なすぎると吸収体の剛性が低くなりよれやすくなる。一方パルプの坪量が多すぎると吸収体の剛性が多角なり過ぎ、フィット性が低下することになる。
吸水ポリマーの坪量は吸収量を維持し漏れを防止する観点から、３０ｇ／ｍ２以上、好ましくは４０ｇ／ｍ２以上、さらに好ましくは４０ｇ／ｍ２以上であり、膨潤した吸収体のフィット性を良くする観点から、３００ｇ／ｍ２以下、好ましくは２５０ｇ／ｍ２以下、さらに好ましくは２２５ｇ／ｍ２以下である。そして３０ｇ／ｍ２以上３００ｇ／ｍ２以下、好ましくは４０ｇ／ｍ２以上２５０ｇ／ｍ２以下、さらに好ましくは４０ｇ／ｍ２以上２２５ｇ／ｍ２以下である。吸収ポリマーの坪量が少なすぎると吸収性能が低下し、多すぎると膨潤した時の吸収体の剛性が高くなり過ぎ、フィット性が低下することになる。
【００３７】
吸収体３（前記図１参照）、第１吸収体３１（前記図２参照）の側部吸収体３ａ、３ｂの坪量は、上記第１吸収体３１の坪量の範囲内で、かつ第１吸収体３１の後端側中央部の吸収体坪量よりも、大腿部付け根周りの漏れを防止する観点から、１．１倍以上、好ましくは１．２倍以上、さらに好ましくは１．２５倍以上多いことが好ましい。このような吸収体坪量を有することで、股下部分の漏れを防ぎ、溝から広がってきた液を背側の吸収体に引き込み吸収させる点から好ましい。また股下側縁部に位置する側部吸収体３ａ、３ｂが排泄液を吸収して膨潤し、開口部３３で構成される溝が深くなり、外漏れを防止する。
【００３８】
また、吸収体３（前記図１参照）、第１吸収体３１（前記図２参照）の外形の面積Ｓａに対する開口部３３の面積Ｓｈは、面積比Ｓｈ／Ｓａは、１５％以上、好ましくは１８％以上、さらに好ましくは２０％以上であり、好ましくは５０％以下である。そして１５％以上５０％以下、好ましくは１８％以上５０％以下、さらに好ましくは２０％以上５０％以下である。面積比が小さ過ぎると可撓性の低下のよりフィット性が低下するという観点から好ましくなく、大き過ぎると吸収体のヨレを防止するという観点から好ましくない。
【００３９】
前記図２に示すように、上記第１吸収体３１は、第２吸収体３２と重なる部位では、上層にあることが好ましい。第１吸収体３１の開口部３３が、第２吸収体３２上に位置するため排泄された尿を吸収するための防漏壁となり、背中側や腹側からの伝い漏れを防止することができる。
【００４０】
次に、上記第２吸収体３２について前記図２を参照して詳述する。
この第２吸収体３２は上記第１吸収体３１の下層側（裏面シート２側）にあることが好ましい。なお、第２吸収体３２は上記第１吸収体３１の上層側（表面シート１側）にあってもよい。
第２吸収体３２は、腹側部Ｆまたは背側部Ｒの幅は股下部Ｃの幅より広いことが好ましく、第２吸収体３２の幅は第１吸収体３１の腹側部Ｆまたは背側部Ｒの幅より狭いことが好ましい。また股下部Ｃにおいて、第１吸収体３１の開口部３３の幅Ｗｈよりも幅が狭いことが好ましく、または同等であってもよい。例えば、股下部Ｃにおける第２吸収体３２の幅Ｗｃは、吸収面を維持し漏れを防止する観点から、６０ｍｍ以上、好ましくは７５ｍｍ以上、さらに好ましくは９０ｍｍ以上であり、装着時のフィット性アップと違和感低減の観点から、２００ｍｍ以下、好ましくは１８０ｍｍ以下、さらに好ましくは１６０ｍｍ以下である。そして６０ｍｍ以上２００ｍｍ以下、好ましくは７５ｍｍ以上１８０ｍｍ以下、さらに好ましくは９０ｍｍ以上１６０ｍｍ以下である。なお、幅ＷｈとＷｃが同等の場合は、平面視した状態で第２吸収体３２の物品長手方向（Ｙ方向）に配された側部が開口部３３の物品長手方向に配された側部に接触した状態になる。また３次元的には、股下部Ｃにおいて、第１吸収体３１と第２吸収体３２との間に中間シート５が配されているので、第１吸収体３１と第２吸収体３２とは離間されている。
【００４１】
上記第２吸収体３２の物品幅方向（Ｘ方向）の最大幅は、吸収性能の観点から、好ましくは１４０ｍｍ以上、さらに好ましくは１６０ｍｍ以上であり、フィット性やヨレ難さの観点から、４００ｍｍ以下、好ましくは３８０ｍｍ以下、さらに好ましくは３６０ｍｍ以下である。そして１４０ｍｍ以上４００ｍｍ以下、好ましくは１６０ｍｍ以上３８０ｍｍ以下、さらに好ましくは１６０ｍｍ以上３６０ｍｍ以下である。
物品長手方向（Ｙ方向）の長さは、吸収性能の観点から、５００ｍ以上、好ましくは５４０ｍｍ以上、さらに好ましくは５８０ｍｍ以上であり、サイズ適正の観点から、好ましくは９００ｍｍ以下、さらに好ましくは８６０ｍｍ以下である。そして５００ｍ以上９００ｍｍ以下、好ましくは５４０ｍｍ以上９００ｍｍ以下、さらに好ましくは５８０ｍｍ以上８６０ｍｍ以下である。
上記各数値は、装着者の体型の大きさによって適宜選択される。例えばおむつのサイズが、Ｓサイズ、Ｍサイズ、Ｌサイズ、ＬＬサイズ等により適宜選択される。
【００４２】
上記第２吸収体３２は、パルプからなる。または第２吸収体３２はパルプと吸水ポリマーからなることが好ましい。パルプの坪量は、吸収体のヨレを防止する観点から、１００ｇ／ｍ２以上、好ましくは１２０ｇ／ｍ２、さらに好ましくは１２０ｇ／ｍ２以上であり、股下部の吸収性とフィット性の観点から、４００ｇ／ｍ２以下、好ましくは３６０ｇ／ｍ２以下、さらに好ましくは３４０ｇ／ｍ２以下である。そして１００ｇ／ｍ２以上４００ｇ／ｍ２以下、好ましくは１２０ｇ／ｍ２以上３６０ｇ／ｍ２以下、さらに好ましくは１２０ｇ／ｍ２以上３４０ｇ／ｍ２以下である。パルプの坪量が少なすぎると吸収体の剛性が低くなりよれやすくなる。一方パルプの坪量が多すぎると吸収体の剛性が多角なり過ぎ、フィット性が低下することになる。
吸水ポリマーの坪量は、吸収量を維持し漏れを防止する観点から、３０ｇ／ｍ２以上、好ましくは４０ｇ／ｍ２以上であり、膨潤した吸収体のフィット性の観点から、３００ｇ／ｍ２以下、好ましくは２５０ｇ／ｍ２以下、さらに好ましくは２２５ｇ／ｍ２以下である。そして３０ｇ／ｍ２以上３００ｇ／ｍ２以下、好ましくは４０ｇ／ｍ２以上２５０ｇ／ｍ２以下、さらに好ましくは４０ｇ／ｍ２以上２２５ｇ／ｍ２以下である。吸収ポリマーの坪量が少なすぎると吸収性能が低下し、多すぎると膨潤した時の吸収体の剛性が低下することになる。
【００４３】
第２吸収体３２は、少なくとも離間部４より物品長手方向端部側において、すなわち、腹側部Ｆまたは背側部Ｒで第１吸収体３１と厚み方向で重なっている。例えば、開口部３３の長手方向両端部側で重なっている。その重なり部の長手方向における長さは、伝い漏れ防止の観点から、５０ｍｍ以上、好ましくは７０ｍｍ以上、さらに好ましくは８０ｍｍ以上である。
このように、第１吸収体３１と第２吸収体３２とが重なることによって厚みがでるため、臀部にフィットしやすくなって、伝い漏れが防止される。また２層になることで剛性が高まるとともに、吸収性能が高まる。
【００４４】
第２吸収体３２には、図示はしないが、股下部の幅方向中央部にスリットまたは幅方向中央より左右の部位に２本スリットが配されていてもよい。スリットの幅は、装着時に幅方向に折れ易くする観点から、３ｍｍ以上が好ましく、また、２５ｍｍ以下が好ましい。スリットの長さは、吸収体の前後方法に液を拡散させるため、好ましくは８０ｍｍ以上、さらに好ましくは１２０ｍｍ以上であり、好ましくは４００ｍｍ以下である。そして、好ましくは８０ｍｍ以上４００ｍｍ以下であり、さらに好ましくは１２０ｍｍ以上４００ｍｍ以下である。
【００４５】
第２吸収体３２の股下部中央部には長手方向に伸張されて接着された弾性部材が配されていても良い。この弾性部材によって股下部のフィット性がさらに改善される。
また第２吸収体３２の股下側縁部近傍において、中間シート５の裏面と第２吸収体３２が接着剤によって接合していないことが第１吸収体３１の可撓性向上する観点から好ましい。
【００４６】
上記吸収体３は、エンボス処理が施されていてもよい。
また上記吸収体３の厚みは、中央部より側部が厚い方が大退部の周り付近の隙間を減らすことができるため漏れ防止の観点から好ましい。
【００４７】
上記各中間シート５、吸収性ポリマーは、衛生面を考慮すると抗菌消臭処理がなされていることが好ましい。抗菌処理の抗菌剤としては、銀系、銅系若しくは亜鉛系の物質又はそれらの塩類等の抗菌剤、または４級アンモニウム塩等が挙げられる。消臭剤としては、活性炭、ゼオライト、シリカゲル、ポリガラクトサミン、カテキン、キトサン、キチン、ポリアニリン等が挙げられる。
また、前記図１に示すように、吸収体３と裏面シート２との間に配した中間シート５、前記図２に示すように、第１吸収体３１と第２吸収体３２の間に配した中間シート５を色付き中間シートとしてもよい。色付き中間シートは台紙および不織布からなる。このように色付き中間シートとすることにより、尿取りパッド（図示せず）を装着する場合、中間シートの色が視認されることによって装着位置の目印となる。
【００４８】
次に、前記図１および図２によって説明した構成以外の使い捨ておむつの詳細について、図５を参照して以下に説明する。図５では、図２に示した構成の詳細を示しているが、図１に示した構成の場合も同様である。また、図５には前記図１および図２に付した主要な構成部品を示す符号も併せて付した。
【００４９】
図５に示すように、表面シート１と裏面シート２との間に上記構成の開口部３３を有する吸収体３が配されている。
表面シート１の肌面側には、その長手方向（Ｙ方向）両側部から幅方向（Ｘ方向）外方に向けて一対のサイドシート７（７ａ、７ｂ）が配されている。
裏面シート２の非肌当接面側には、その全面を覆うように不織布からなる外装シート８が配されている。この外装シート８によって、使い捨ておむつ１０の外側は柔らかな肌触り及び風合いのあるものとなる。
【００５０】
サイドシート７および外装シート８の長手方向（Ｙ方向）長さは、それぞれ表面シート１および裏面シート２の長手方向（Ｙ方向）長さに略一致している。さらにサイドシート７および外装シート８は、腹側部Ｆおよび背側部Ｒにおいて表面シート１および裏面シート２よりも幅方向（Ｘ方向）外方に張り出しホットメルト接着剤等によって接合されている。これにより使い捨ておむつ１０の外形が形成される。使い捨ておむつ１０は、その展開状態の平面視において、装着時に装着者の腹側に配される腹側部Ｆ、装着者の股下部分に配される股下部Ｃ、装着者の背側に配される背側部Ｒとからなり、その全体として股下部Ｃが幅方向内方に括れた形状、いわゆる一般的な砂時計形の形状を有している。
【００５１】
各サイドシート７の幅方向中央寄りの内方端部には弾性部材７１が配された立体ギャザーで構成される防漏カフ７２が配されている。防漏カフ７２には、公知のものを用いることができ、いわゆる、ダブルギャザー、Ｔ字ギャザー、折り返しギャザー、等を採用することができる。そして使い捨ておむつ１０の装着時に弾性部材７１が収縮し、股下部Ｃに防漏カフ７２が形成される。
【００５２】
レッグギャザーとなる上記側部吸収体３ａ、３ｂの外側におけるサイドシート７と裏面シート２との間に位置する部位には、左右の大腿部付け根周りを伸縮可能にする弾性部材７３がそれぞれ伸張状態で接着または固定されている。このように各サイドシート７の幅方向外方にはそれぞれ弾性部材７３が配されることでレッグギャザーが形成される。この弾性部材７３は、上記弾性部材７１と同種のものを用いることができる。
【００５３】
さらに、レッグ吸収体となる上記側部吸収体３ａ、３ｂのそれぞれの裏面シート２側に位置する部位には、それぞれ複数本の吸収体ギャザー弾性部材７５（図１（２）参照）が伸張状態で接着または固定されている。この弾性部材としては、糸ゴム、平ゴム、フィルム状弾性体などが好ましい。糸ゴムは、片側２本ないし６本で左右均等に配されていることが好ましい。繊度は、伸張応力と高伸度を保つ観点から、３２０ｄｔｅｘ以上、好ましくは４８０ｄｔｅｘ以上、さらに好ましくは６２０ｄｔｅｘ以上であり、伸張応力が高くなり過ぎないで伸縮しやすくする観点から、１２４０ｄｔｅｘ以下、好ましくは１０００ｄｔｅｘ以下、さらに好ましくは９４０ｄｔｅｘ以下である。そして３２０ｄｔｅｘ以上１２４０ｄｔｅｘ以下、好ましくは４８０ｄｔｅｘ以上１０００ｄｔｅｘ以下、さらに好ましくは６２０ｄｔｅｘ以上９４０ｄｔｅｘ以下である。吸収体ギャザー弾性部材７５の接着剤には、通常のホットメルト接着剤が挙げられる。そして、使い捨ておむつを展開した状態において、上記吸収体ギャザー弾性部材７５が収縮して成す吸収体ギャザーによってレッグ吸収体となる側部吸収体３ａ、３ｂが立ち上がった形態になることが好ましい。
したがって、テープ止めを展開した状態で、側部吸収体３ａ、３ｂが収縮し、吸収体３の前部および後部が立ち上がる。このため、吸収体３内側に排泄された尿、軟便等の漏れを防止することできる。また、使い捨ておむつ交換時の洗浄液の漏れを防止することができる。さらに、尿取りパッドを装着する場合には、尿取りパッドのホールド性が向上する。
さらに上記吸収体ギャザー弾性部材７５によって側部吸収体３ａ、３ｂが伸縮するため脚周り、特に大腿部付け根周りのフィット性が向上し、その部分の漏れを防止することができる。
【００５４】
上記弾性部材７１、７３および７５の伸縮によっておむつ１０は、装着者の運動等による体形変化にもよく追従してフィットし、液体等の横漏れを効果的に防止し得る。
【００５５】
使い捨ておむつ１０の腹側部Ｆおよび背側部Ｒには、サイドシート７と外装シート８とが積層されて幅方向外方に張り出した背側フラップ部１７および腹側フラップ部１８が配されている。背側フラップ部１７にはファスニングテープ１９が設けられている。ファスニングテープ１９は、フックテープが好ましく、粘着タイプでもよい。またはフック材と粘着テープを組み合わせた物であっても良い。このファスニングテープ１９を腹側フラップ部１８に設けたテープ貼付部２０に貼付して、おむつを装着固定することができる。テープ貼付部２０は、ループテープが好ましく、例えば通気性のある不織布タイプがムレを防止しするために好ましい。またはフィルムタイプや織物とフィルムをラミネートしたものであってもよい。
上記ファスニングテープ１９おおびテープ貼付部２０によって使い捨ておむつ１０を装着固定するとき、おむつ長手方向中央を緩やかに内側に折り曲げて、吸収体３が装着者の臀部から下腹部にわたって沿うように装着する。これにより排泄物が的確に吸収体３に吸収保持される。本実施形態の使い捨ておむつ１０においては、さらに機能的な構造部材やシート部材等を設けてもよい。
【００５６】
また図示はしていないが、おむつのウエスト部には上記とは別の弾性部材やバリヤシートが配されていてもよい。
さらに、表面シート１や裏面シート２には、液の吸収量やサイズを示すデザイン印刷、位置合わせのための目印になるマーク等が配されてもよい。
【００５７】
次に、中間シートの包含形態は、前記図１および図２に示した中間シート５の配置が基本形態となる。中間シートによる吸収体の包含形態として好ましい形態の一例を、図５（ｂ）に示す。
図５（ｂ）に示すように、図５（ｂ）に示すように、吸収体３は側部吸収体３ａ、３ｂを含む第１吸収体３１と、中央部吸収体３ｃを含む第２吸収体３２とからなる。側部吸収体３ａ、３ｂと中央部吸収体３ｃとの間に離間部４ａ、４ｂを有する。このように配された第１吸収体３１と第２吸収体３２との間に中間シート５（第１中間シート５ａ）を配し、第２吸収体３２を包むように第２中間シート５ｂを配し、第１シート５ａと表面シート１との間に第３中間シート５ｃを配している。この第１中間シート５ａと第３中間シート５ｃは、開口部３３内で重なった状態にあり、また側部吸収体３ａ、３ｂの幅方向外側で重なった状態になっている。
また図示はしないが、第１吸収体３１と第２吸収体３２との間に中間シート５（第１中間シート５ａ）を配し、第２吸収体３２と裏面シート３との間に第２中間シート５ｂを配し、第１中間シート５ａと表面シート１との間に第３中間シート５ｃを配してもよい。この第１中間シート５ａと第３中間シート５ｃは、開口部３３内で重なった状態にあり、また側部吸収体３ａ、３ｂの幅方向外側で重なった状態になっている。
【００５８】
本実施形態においては、特に断らない限り、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側または表面側といい、非肌面に近い方ないしその延長方向を非肌面側、非肌当接面側または裏面側という。装着時に人体の前側に位置する方向を前方といいその端部を前端部とし、後側に位置する方向を後方といいその端部を後端部として説明する。吸収性物品の表面または裏面の法線方向を厚み方向といいその量を厚さという。さらに、特に断らない限り、吸収性物品の平面視において腹側部Ｆから股下部Ｃを亘り背側部Ｒに至る方向を縦方向または長手方向（Ｙ方向）といい、この縦（長手）方向と直交する方向を幅方向（Ｘ方向）という。なお、前記縦方向は典型的には装着状態において人体の前後方向と一致する。
【００５９】
以下に本実施形態の使い捨ておむつ１０を構成する部材の好ましい構成素材について説明する。
【００６０】
表面シート１、裏面シート２およびサイドシート７の形成材料としては、通常吸収性物品に使用されているものを用いることができる。
表面シート１としては、親水性不織布が好ましく、エアスルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく、その坪量は、強度と風合いの観点から、１３ｇ／ｍ２以上、好ましくは１５ｇ／ｍ２以上、さらに好ましくは１８ｇ／ｍ２以上であり、排泄された尿の通液性向上や液残り防止の観点から、６０ｇ／ｍ２以下、好ましくは５０ｇ／ｍ２以下、さらに好ましくは４０ｇ／ｍ２以下である。そして、１３ｇ／ｍ２以上６０ｇ／ｍ２以下、好ましくは１５ｇ／ｍ２以上５０ｇ／ｍ２以下、さらに好ましくは１８ｇ／ｍ２以上４０ｇ／ｍ２以下ものが好適に使用できる。また、表面シート１の股下部分には、表面シート１の非肌面側に親水性穴開きフィルムや親水性不織布が部分的に重ねられていてもよい。
【００６１】
裏面シート２の形成材料としては、防水性があり透湿性を有していれば特に限定されないが、例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高密度から低密度ポリエチレン、線状低密度ポリエチレン、ポリプロピレン、ポリブテン等が挙げられ、これらを単独で又は混合して用いることができる。
【００６２】
吸収体３には、液保持性を有するものであれば、通常吸収性物品に用いられるものを用いることができる。例えば、繊維集合体またはこれと吸水性ポリマーとを併用させたもの等を用いることができる。繊維集合体を構成する繊維としては、パルプ繊維等の親水性天然繊維や、合成繊維（好ましくは親水化処理を施したもの）等を用いることができる。パルプ繊維としては、針葉樹クラフトパルプ、広葉樹クラフトパルプ等の木材パルプや木綿パルプ、ワラパルプ等の非木材パルプ等の天然セルロース繊維などが挙げられる。その他、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を一部に含んでもよい。坪量は特に限定されないが、上述した通りである。吸水性ポリマーとしては、この種の物品に通常使用されている各種のポリマー材料を用いることがでる。吸水性ポリマーは、自重の２０倍以上の水又は生理食塩水を吸収し保持し得る性能を有するような超吸収性高分子化合物であることが好ましい。
【００６３】
中間シート５は、親水性の部材であり、例えば、親水性のティッシュペーパー等の薄手の紙（薄葉紙）、コットンやレーヨンなどの親水性繊維からなる不織布、合成樹脂の繊維に親水化処理を施してなる不織布（スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）等の複合不織布）等を用いることができる。
【００６４】
サイドシート７としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）不織布等が用いられる。
また、サイドシート７に配される弾性部材７１、レッグギャザーを成す弾性部材７３、吸収体ギャザーを成す弾性部材７５およびウエストギャザーをなす弾性部材（図示せず）等には、この種の物品に用いられる通常の弾性部材を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、もしくはマルチフィラメントタイプの糸状のもの等を用いることができる。具体的に糸ゴムについては前述したような繊度のものが用いられる。
【００６５】
図６に示すように、本実施形態の使い捨ておむつ１０は、その内部に吸収性パッドとして尿取りパッド１００を配して使用することができる。尿取りパッド１００は、肌当接面側に配された第１シート１０１、非肌当接面側に配された第２シート１０２、及び前記両シートの間に介在配置された液保持性の貯蔵層１０３を備える。なお、図面では第１シート１０１と第２シート１０２が平面視にて重ねられた状態に描かれている。また、第１シート１０１の肌面側に、立体防漏カフ１１１を設けても良い。
【００６６】
尿取りパッド１００の第１シート１０１は使い捨ておむつ１０の表面シート１と同様の部材を使うことができ、尿取りパッド１００の第２シート１０２は使い捨ておむつ１０の裏面シート２と同様の部材を使うことができる。その他に、尿取りパッド１００の第２シート１０２は、表面シート１に使用されるような液透過性の部材を使用することもできる。また、貯蔵層１０３は、使い捨ておむつ１０の吸収体３と同様の吸収体材料を用いることができる。尿取りパッド１００の立体防漏カフ１１１としては、使い捨ておむつ１０の立体ギャザー４１と同様の部材を、同様の構成で用いることができる。
【００６７】
次に、上記実施形態で説明した使い捨ておむつの装着方法の一例を図７によって説明する。
図７（ａ）に示すように、装着者２００を側臥位の姿勢にした状態で、使い捨ておむつ１０を、装着者２００を仰向け状態にしたときに股下部Ｃが吸収体３に対応する位置になるように、かつ肌当接面側を上に配して広げる。このとき、開口部３３の背側部に配された頂点Ｔ１、Ｔ２の位置と、腹側部（図示せず）に配された頂点Ｔ１、Ｔ２（図示せず）の位置とを勘案して、装着者２００に対して使い捨ておむつ１０の位置を調整する。
続いて図７（ｂ）に示すように、使い捨ておむつ１０の所定の位置に尿取りパッド１００の肌当接面側を上にして配する。このとき、おむつの開口部３３の背側部に配された頂点Ｔ１、Ｔ２の位置を見計らって尿取りパッド１００の長手方向の一端辺１００ａで位置合わせを行う。同時に開口部３３の腹側部（図示せず）に配された頂点Ｔ１、Ｔ２（図示せず）の位置と尿取りパッドの長手方向の他端辺との距離を勘案して、尿取りパッド１００の位置を調整する。さらに各頂点Ｔ１の位置が物品中央に配されているので、尿取りパッド１００の物品幅方向の位置を調整して位置合わせを終える。
【００６８】
次に図７（ｃ）に示すように、尿取りパッド１００を配した使い捨ておむつ１０上に、装着者２００が仰向けになるように、側臥位からおよそ１／４回転程度転がすようにして載せ置く。続いて、仰向け状態の装着者２００の股下部Ｃを覆うように、尿取りパッド１００を装着者２００の背側部から腹側部Ｆに回して配する。
さらに図７（ｄ）に示すように、使い捨ておむつ１０の腹側部Ｆを、仰向け状態の装着者２００の股下部Ｃに配した尿取りパッド１００（図７（ｂ）、（ｃ）参照）を被覆するように、装着者２００の腹側部Ｆに回して配し、使い捨ておむつ１０によって、装着者２００の背側部から股下部Ｃを通って腹側部Ｆを被覆する。このとき、おむつ長手方向中央を緩やかに内側に折り曲げて、吸収体３が装着者２００の臀部から下腹部にわたって沿うように装着する。これにより排泄物が的確に吸収体３に吸収保持される。
最後に図７（ｅ）に示すように、のファスニングテープ１９をテープ貼付部２０に係合させて使い捨ておむつ１０の装着が完了する。
【００６９】
上記吸収性物品としての使い捨ておむつ１０は、尿取りパッド１００を併用する場合の位置合わせが、平面視において開口部３３の内側に張り出した凸形状に存する頂点Ｔ（Ｔ１）および外側に凹んだ凹形状に存する頂点Ｔ（Ｔ２）のうち、二つ以上有することから、その頂点Ｔで尿取りをパッド１１の物品長手方向の位置合わせが容易になり、前記二つ以上の頂点Ｔ１、Ｔ２のうち一つの頂点Ｔ１が物品の幅方向中央と一致していることから、中央部に配された頂点Ｔ１で尿取りをパッド１１の物品幅方向の位置合わせが容易になるという優れた効果を奏する。
【００７０】
また、頂点Ｔを位置決めの目印として用いることができるので、装着者２００に対する使い捨ておむつ１０の合わせ位置合わせがしやすくなる。同様に、使い捨ておむつ１０に対する尿取りパッド１００の位置合わせがしやすくなる。
さらに、尿取りパッド１００の交換は、特に大きさの異なるパッド（昼用・夜用など）を、時間を変えて交換する際において、交換時にテープ止めのどこに合わせるかがおむつ交換のポイントになる。このような場合であっても、頂点Ｔが開口部３３の前後端に配されていることから、夜用と昼用のように長さの異なる尿取りパッド１００の位置合わせも容易にできる。また長さの異なる尿取りパッド１００の位置合わせには、開口部３３の前後端に配した凸形状もしくは凹形状の長手方向の長さを利用することもできる。
さらに、尿取りパッド１００の製品折りの位置を開口部３３の幅に合わせることで、尿取りパッド１００がさらに装着しやすくなる。
このようにして、装着者２００が側臥位の姿勢になることが多いために生じる、テープ止めの位置決めや、併用する尿取りパッド１００の位置を決めの困難性を解消することができる。このように正常な位置に尿取りパッド５０を装着することができるので、装着中の違和感や漏れの発生を無くすことができる。
【００７１】
さらに、低厚み部３５に色付けされている構成や、第１吸収体３１と第２吸収体３２との間に配される中間シート５に色付けされている構成では、開口部３３の形状がわかりやすくなるので開口部３３の位置が明確になり、位置決め作業がさらに容易になる。
【００７２】
上記説明したように、上記吸収性物品としての使い捨ておむつ１０を装着者２００に装着する場合、おむつの肌当接面側（表面シート側）から位置決めすることができる。このため、おむつの位置と装着者の位置とを視認しながら装着作業ができるので、位置関係がわかりにくくなることがなく、装着時のおむつの前後ズレを防ぐことができる。
特にテープ止めのおむつ１０に尿取りパッド１００を併用する場合、テープ止めについている頂点を利用して尿取りパッド１００の位置決めが容易になる。
【００７３】
さらに前記図２を参照して説明した使い捨ておむつ１０は、中央部吸収体３ｃの両側に配された側部吸収体３ａ、３ｂとのそれぞれの間に離間部４ａ、４ｂによる隙間があるので、側部吸収体３ａ、３ｂが変形しやすくなり、レッグギャザーや吸収体ギャザーによって、股下部、特に大腿部付け根周りのフィット性が向上する。また、股下部では、上記長手方向に延びる離間部４による隙間があるため、可撓性が向上する。
さらに、側部吸収体３ａ、３ｂと中央部吸収体３ｃとの間に中間シート５が配されていることによって、股下部の側部吸収体３ａ、３ｂが変形しやすくなり追従性が向上するので、吸収体のヨレを防止することができる。
上記吸収体３が体液を吸収した後、側部吸収体３ａ、３ｂと中央部吸収体３ｃの膨潤によって溝ができる。すなわち、側部吸収体３ａ、３ｂと中央部吸収体３ｃが尿を吸収するとそれぞれが厚み方向に膨れる。この結果、幅方向の隙間である離間部４が谷になり、溝ができる。吸収体３に２度目の排尿があると、膨らんだ吸収体３により作られた溝によって、より液が前後方向に流れやすくなるので、股漏れ防止に繋がる。
【００７４】
本発明の吸収性物品において、吸収体３の形状についても特に限定されること無く、表面がブロック形状であったり、スリットが設けられたりしていてもよい。
【００７５】
上述した実施形態等に関し、さらに以下の付記（吸収性物品）を開示する。
【００７６】
＜１＞
別体のパッドを内側に入れて使用し得る吸収性物品であって、
表面シートと裏面シートと両シートに挟まれた吸収体を備え、
前記吸収体は、肌当接面側に開口部を有して、該開口部の内部と外部との間に亘り段差部を有し、
前記段差部の長手方向前後端部の少なくとも一方に、平面視において二つ以上の頂点を有し、
前記二つ以上の頂点のうち一つが幅方向中央と一致している吸収性物品。
＜２＞
前記開口部が、前記肌当接面側に配された吸収体の厚み方向に渡って貫通している前記＜１＞に記載の吸収性物品。
＜３＞
前記開口部が幅方向中央線に対して線対称であり、前記開口部の前後端部に存在する頂点とは別に、一対の頂点を有する前記＜１＞又は＜２＞に記載の吸収性物品。
＜４＞
物品幅方向における前記開口部の両側部の吸収体が前記開口部側に張り出した形状である前記＜１＞から＜３＞の何れか１に記載の吸収性物品。
＜５＞
物品幅方向における前記開口部の両側部の吸収体が前記開口部から幅方向外方へ凹んだ形状である前記＜１＞から＜３＞の何れか１に記載の吸収性物品。
＜６＞
前記前後端部のうち、両方に二つ以上の頂点を有する前記＜１＞から＜５＞の何れか１に記載の吸収性物品。
＜７＞
曲面からなる凸形状又は凹形状により前記頂点が構成される前記＜１＞から＜６＞の何れか１に記載の吸収性物品。
＜８＞
前記凸形状又は凹形状の平面視した軌跡半径（曲率半径）は、１０ｍｍ以上、好ましくは２０ｍｍ以上、さらに好ましくは２５ｍｍ以上である前記＜７＞に記載の吸収性物品。
＜９＞
前記凸形状又は凹形状の平面視した軌跡半径（曲率半径）は、好ましくは６０ｍｍ以下、さらに好ましくは５５ｍｍ以下である前記＜７＞又は＜８＞に記載の吸収性物品。
＜１０＞
前記吸収性物品の後側になる凸形状および凹形状の物品長手方向のそれぞれの長さは、１０ｍｍ以上、好ましくは２０ｍｍ以上、さらに好ましくは２５ｍｍ以上である前記＜７＞から＜９＞の何れか１に記載の吸収性物品。
＜１１＞
前記幅方向中央と一致している二つの頂点はそれぞれ円弧の一部であり、かつ、前記開口部の長手方向内側に凸形状であり、一方の頂点を含む円弧の曲率が他の頂点を含む円弧の曲率よりも高い前記＜６＞から＜１０＞の何れか１に記載の吸収性物品。
＜１２＞
前記吸収性物品の後側になる凸形状および凹形状の物品長手方向のそれぞれの長さは、１２０ｍｍ以下、好ましくは１１０ｍｍ以下、さらに好ましくは１００ｍｍ以下である前記＜７＞から＜１１＞の何れか１に記載の吸収性物品。
＜１３＞
前記吸収性物品の前側になる凸形状の平面視した軌跡半径（曲率半径）は、５０ｍｍ以上、好ましくは６０ｍｍ以上、さらに好ましくは６５ｍｍ以上である前記＜７＞から＜１２＞の何れか１に記載の吸収性物品。
＜１４＞
前記吸収性物品の前側になる凸形状の平面視した軌跡半径（曲率半径）は、好ましくは１５０ｍｍ以下、さらに好ましくは１４０ｍｍ以下ある前記＜７＞から＜１３＞の何れか１に記載の吸収性物品。
＜１５＞
前記吸収体の非肌当接面側に色付き中間シートが配されている前記＜１＞から＜１４＞の何れか１に記載の吸収性物品。
＜１６＞
前記色付き中間シートのさらに非肌当接面側に、前記吸収体とは別の吸収体を有する前記＜１５＞に記載の吸収性物品。
＜１７＞
前記開口部を有する前記吸収体を構成する第１吸収体と、前記別の吸収体を構成する第２吸収体とを有し、
前記色付き中間シートの色が前記開口部を通して外部から視認できる前記＜１６＞に記載の吸収性物品。
＜１８＞
前記第２吸収体の股下側縁部近傍において、前記中間シートの裏面と第２吸収体が接合していない前記＜１７＞に記載の吸収性物品。
＜１９＞
前記幅方向中央と一致している２つの頂点は、前記肌当接面側に配された吸収体と前記非肌当接面側に配された吸収体が重なっている前記＜１６＞から＜１８＞の何れか１に記載の吸収性物品。
＜２０＞
前記別の吸収体は、股下部で内側に湾曲もしくは屈曲した形状である前記＜１６＞から＜１９＞の何れか１に記載の吸収性物品。
＜２１＞
前記第２吸収体は長手方向中央部でくびれており、
長手方向の前記開口部の両端部側で前記第１吸収体と前記第２吸収体とが重なっており、
長手方向中央部で平面視した前記開口部の幅より前記第２吸収体の幅が狭くなっている前記＜１７＞から＜２０＞の何れか１に記載の吸収性物品。
＜２２＞
物品長手方向における前記開口部の両端部側で前記第１吸収体と前記第２吸収体とが重なっている前記＜１７＞から＜２１＞の何れか１に記載の吸収性物品。
＜２３＞
前記第２吸収体の幅は前記第１吸収体の腹側部または背側部の幅より狭い前記＜１７＞から＜２２＞の何れか１に記載の吸収性物品。
＜２４＞
前記第２吸収体の股下部中央部には長手方向に伸張されて接着された弾性部材が配されている前記＜１７＞から＜２４＞の何れか１に記載の吸収性物品。
＜２５＞
前記吸収体は外側縁の形状が股下部分で内側に湾曲もしくは屈曲しており、腹側部及び背側部の少なくとも一方の部位では外側に広がっている前記＜１＞から＜２４＞の何れか１に記載の吸収性物品。
＜２６＞
前記＜１＞から＜２５＞の何れか１に記載の吸収性物品の内部に入れて使用するパッドが、第１シート、第２シート及び該第１シートと該第２シートとの間に配置された貯蔵層とを備える吸収性パッド及び吸収性物品。
＜２７＞
前記パッドを、前記＜１＞から＜２５＞の何れか１に記載の吸収性物品の前記頂点を目印として用い、位置決めをする前記＜２６＞に記載の吸収性パッド及び吸収性物品の装着方法。
＜２８＞
前記パッドを、前記＜１＞から＜２５＞の何れか１に記載の吸収性物品の前記開口部の前後端に配した凸形状もしくは凹形状の長手方向の長さを利用し、位置決めをする前記＜２６＞又は＜２７＞に記載の吸収性パッド及び吸収性物品の装着方法。
＜２９＞
前記パッドを、前記＜１＞から＜２５＞の何れか１に記載の吸収性物品の前記開口部を通して外部から視認できる色を利用し、位置決めをする前記＜２６＞から＜２８＞の何れか１に記載の吸収性パッド及び吸収性物品の装着方法。
【符号の説明】
【００７７】
１  表面シート
２  裏面シート
３  吸収体
３ａ，３ｂ  側部吸収体
４，４ａ，４ｂ  離間部
５，５ａ  ，５ｂ  中間シート
７  サイドシート
８  外装シート
１０  使い捨ておむつ
３１  第１吸収体
３２  第２吸収体
３３  開口部
３４  段差
３５  低厚み部
１００  尿取りパッド
２００  装着者
Ｔ１，Ｔ２，Ｔ３  頂点
【図１】
2015066307.tif 000003
【図２】
2015066307.tif 000004
【図３】
2015066307.tif 000005
【図４】
2015066307.tif 000006
【図５】
2015066307.tif 000007
【図６】
2015066307.tif 000008
【図７】
2015066307.tif 000009